(57)【要約】【課題】  長手方向に延びる長尺照明器具とスポット照明器具の両方を備えた照明器具において、スポット照明器具の位置を容易に変更可能とする。【解決手段】  蛍光ランプ照明器具１０の全体カバー１１の側面および下面にそれぞれ一対のレールを形成する。スポット照明器具は、一対のレールにより、レールの長手方向に移動自在に保持されたものとする。【選択図】図２
0003138884.tif 000002
【実用新案登録請求の範囲】
【請求項１】
長手方向に延びる長尺照明器具とスポット照明器具の両方を備えた照明器具であって、
前記長尺照明器具は、前記長手方向に延びる蛍光ランプと、該蛍光ランプを覆う前記長手方向に延びるカバーとからなり、
該カバーは、前記長手方向に延びる少なくとも一対のレールを備え、
前記スポット照明器具が、前記一対のレールにより、該レールの長手方向に移動自在に保持されたものであることを特徴とする照明器具。
【請求項２】
前記カバーが、同一断面形状が前記長手方向に延びる部材からなり、
前記断面は、水平部と、該水平部の両端から下方に延びる２本の側壁部と、該２本の側壁部の間に形成され、前記水平部から下方に延びる間仕切部とからなり、
前記２本の側壁部のうちの一方の下端部と前記間仕切部の下端部とで一対のレールが形成されていることを特徴とする請求項１記載の照明器具。
【請求項３】
前記カバーが、同一断面形状が前記長手方向に延びる部材からなり、
前記断面は、水平部と、該水平部の両端から下方に延びる２本の側壁部と、該２本の側壁部の間に形成され、前記水平部から下方に延びる間仕切部とからなり、
前記側壁部の上端部と下端部とで一対のレールが形成されていることを特徴とする請求項１または２記載の照明器具。
【考案の詳細な説明】
【技術分野】
【０００１】
長手方向に延びる長尺照明器具とスポット照明器具の両方を備えた照明器具に関するものである。
【背景技術】
【０００２】
百貨店、スーパー、専門店等で使用される商品展示販売用陳列棚等の什器用蛍光ランプ器具（例えば特許文献１）は、棚板の長手寸法に一致させ棚板全体を出来るだけ均一に照明する必要性から極めて多くの長さの異なる照明器具を商品として揃えている。全体照明に優れた直線光源の蛍光ランプ器具は固定壁や自立型の棚什器に広く使用されている。棚什器用の照明器具は展示商品の邪魔にならないよう極力薄くすることが求められ、またガラス棚に使用される場合は上段ガラスから下段を出来るだけ見渡せるよう器具幅も狭くすることが求められている。
【０００３】
一方、貴金属類やクリスタルガラス類等の商品照明には購買意欲向上を狙い、光源の商品反射等による煌めきを重視して指向性が強く輝きの高いハロゲンランプ（点光源スポット照明）が好まれて使用されていた。貴金属類は高価で極めて小さな外観で有りながら高度の煌めきを要求されるため、店舗全体を暗くし、かつ小型小容積の貴金属陳列ガラスケースが多く利用され、そして陳列ケース外の天井や壁等の遠距離からハロゲンランプの強力な光を陳列ケースのガラス越しに間接的に照明する手法が多く使用されてきた。それはハロゲンランプが高輝度の光と共に多くの熱を伴う点光源であるので、小型小容積の展示ケース内に光源を設置できず遠距離より照射する必要があるためであり、従って、近接照明に比べて多くの電力を要するため省エネルギー化に逆行し、更には店舗の空調設備容量にも大きく影響を与えている現状がある。
【０００４】
なお、スポット照明が好まれて使用される貴金属類照明は極めて小さな外観の商品が多い事から、発熱が少なく、演色性が高く、器具外観が小さい点光源を展示ケース内の近距離から照明するのが好ましく、このような光源としてはＬＥＤ光源が適しているが、今までのＬＥＤ光源では輝き、コスト、光量等の点の他、特にベース照明無しのＬＥＤ単独照明とした場合に平均照度確保のために多くのＬＥＤを必要とする事によりコストが増大することから、使用が躊躇されてきた。しかし近年、ＬＥＤメーカー各社の開発が進み白色発光ダイオード等は年々発光効率が向上して蛍光ランプ照明環境下でも明確に確認できる明るいＬＥＤスポットの商品化が進み、また製品単価も下がって比較的入手しやすくなってきている。
【特許文献１】特許公開平７−２３１８３８号公報
【考案の開示】
【考案が解決しようとする課題】
【０００５】
上記のように、蛍光ランプ等の長尺照明器具とハロゲンランプやＬＥＤ等のスポット照明器具とは各々長所が異なるので、両者を同時に使用することが好ましいが、これらが一体となっている照明器具は少なかったため、これらが一体となった照明器具が望まれている。
【０００６】
また、長尺照明器具とスポット照明器具とを単にネジ止め等で結合しただけでは、スポット照明の位置を変更したい場合等に、スポット照明器具を一旦外して再度結合させなくてはならず、手間であった。
【０００７】
本考案はこのような問題に応えてなされたものであり、長手方向に延びる長尺照明器具とスポット照明器具の両方を備えるとともに、スポット照明器具の位置を容易に変更可能な照明器具を提供することを目的とするものである。
【課題を解決するための手段】
【０００８】
本考案の照明器具は、長手方向に延びる長尺照明器具とスポット照明器具の両方を備えた照明器具であって、長尺照明器具は、長手方向に延びる蛍光ランプと、蛍光ランプを覆う長手方向に延びるカバーとからなり、カバーは、長手方向に延びる少なくとも一対のレールを備え、スポット照明器具が、一対のレールにより、レールの長手方向に移動自在に保持されたものであることを特徴とするものである。本考案において、カバーは、同一断面形状が長手方向に延びる部材を使用し、この部材の断面を、水平部と、水平部の両端から下方に延びる２本の側壁部と、２本の側壁部の間に形成され、水平部から下方に延びる間仕切部とからなり、２本の側壁部のうちの一方の下端部と間仕切部の下端部とで一対のレールが形成されているようにしてもよい。
【０００９】
さらに上記のようなカバーにおいて、側壁部の上端部と下端部とで一対のレールを形成するようにしてもよい。
【考案の効果】
【００１０】
本考案の照明器具によれば、長尺照明器具のカバーに、長手方向に延びる少なくとも一対のレールを設け、スポット照明器具は、一対のレールにより、レールの長手方向に移動自在に保持されたものとすることにより、長手方向に延びる長尺照明器具とスポット照明器具とを一体化させるとともに、スポット照明器具の位置を容易に変更可能とすることができる。
【考案を実施するための最良の形態】
【００１１】
以下、本考案にかかる一実施の形態の照明器具について、図面を参照して詳細に説明する。図１は本考案の一実施の形態の照明器具を備えた什器照明器具の構成を示す側面図、図２は上記什器照明器具の照明器具周辺の構成を示す斜視図、図３は上記照明器具の長尺照明器具の断面図、図４は上記長尺照明器具の下面図、図５は上記長尺照明器具の側面に取り付けるスポット照明器具の構成図、図６は上記長尺照明器具の下面に取り付けるスポット照明器具の構成図、図７は上記下面側スポット照明器具の照明部の構成図である。
【００１２】
図１、２に示すように、什器照明器具１は、蛍光ランプ照明器具１０（長尺照明器具）が、固定壁５に取付金具６により固定され、蛍光ランプ照明器具１０および取付金具６の上側に棚７が固定された構造となっている。
【００１３】
図２〜４に示すように、蛍光ランプ照明器具１０は、蛍光ランプ１７を覆う長手方向に延びる全体カバー１１と、全体カバー１１の側面を覆う側面カバー１４と、蛍光ランプ１４に電力を供給するための不図示の安定器と、この安定器を覆うための安定器カバー１５とから構成されている。また、全体カバー１１には蛍光ランプ１７と接続するためのソケット１６が取り付けられている。
【００１４】
図３に示すように、全体カバー１１は、同一断面形状が長手方向に延びるアルミ押出部材からなり、この押出部材の断面は、水平部１１ａと、水平部１１ａの両端から下方に延びる２本の側壁部１１ｂおよび１１ｄと、２本の側壁部１１ｂおよび１１ｄの間に形成され、水平部１１ａから下方に延びる間仕切部１１ｃとからなる。側壁部１１ｂと間仕切部１１ｃの間には不図示の安定器等が配され、間仕切部１１ｃと側壁部１１ｄの間には蛍光ランプ１７等が配される。
【００１５】
また、側壁部１１ｄの上端部と下端部にはレール１２が形成され、これらが一対として機能する。さらに、側壁部１１ｂの下端部と間仕切部１１ｃの下端部にはレール１３が形成され、これらが一対として機能する。
【００１６】
不図示の安定器は全体カバー１１の両端部に配され、安定器カバー１５は、全体カバー１１の両端部において安定器を覆うべく、２本のレール１３と係合するように取り付けられている。
【００１７】
蛍光ランプ照明器具１０の側面に取り付けるためのスポット照明器具２０は、図５に示すように、ＬＥＤ光源を内蔵した照明部２１と、この照明部２１を蛍光ランプ照明器具１０に接続するための照明器具接続部品とから構成されている。
【００１８】
照明部２１は、発光部２１ａを備えた本体２１ｂと、長手方向Ｄと平行な中心軸において回転自在に本体２１ｂに取り付けられた結合部２１ｃとからなる。
【００１９】
照明器具接続部品は、２本のレール１２から離脱しないように、かつレール１２の長手方向に摺動可能に２本のレール１２内に挿入される挿入部２２と、挿入部２２と照明部２１とを接合する支持軸２３とからなる。支持軸２３は、照明部２１の結合部２１ｃを図５中縦方向Ｈに回転自在に保持している。
【００２０】
このような構成とすることにより、側面側スポット照明器具２０は、蛍光ランプ照明器具１０の側面において照明器具長手方向に自由に移動可能であり、さらに発光部２１ａの向きを自在に変更できるため、自由度の高い配光が可能となる。
【００２１】
また、蛍光ランプ照明器具１０の下面に取り付けるためのスポット照明器具３０は、図６、７に示すように、ＬＥＤ光源を内蔵した照明部３１と、この照明部３１を蛍光ランプ照明器具１０の２本のレール１３間に接続するためのベース部３５とから構成されている。ベース部３５は、２本のレール１３から離脱しないように、かつレール１３の長手方向に摺動可能に構成されている。
【００２２】
照明部３１は、透明アクリル球体からなる球状本体部３２と、球状本体部３２に内蔵されるＬＥＤ光源３３と、ＬＥＤ光源３３に固着された放熱板３４とから構成される。球状本体部３２は、ベース部３５に対して３次元方向に回転自在に取り付けられている。
【００２３】
このような構成とすることにより、下面側スポット照明器具３０は、蛍光ランプ照明器具１０の下面において照明器具長手方向に自由に移動可能であり、さらに照明の向きを自在に変更できるため、自由度の高い配光が可能となる。
【００２４】
なお、下面側スポット照明器具３０の照明部の構成については、上記のもの以外に、例えば図８に示す照明部１３１のように、ベース部１３４に固定されたＬＥＤ光源１３２と、ベース部１３４に対して上下移動および水平回転可能に取り付けられたミラー１３３とから構成されたものとしてもよい。このような照明部１３１でも照明の向きを自在に変更可能である。
【００２５】
上述の通り、本実施の形態の照明器具によれば、長手方向に延びる長尺照明器具とスポット照明器具とを一体化させるとともに、スポット照明器具の位置を容易に変更可能とすることができる。
【００２６】
以上、本考案の照明器具の好ましい実施の形態について説明したが、本考案の照明器具に用いるスポット照明器具はＬＥＤ光源に限らず、ハロゲンランプ等、他の光源としてもよい。また、長尺照明器具においてレールを形成する位置や、スポット照明器具の構成についても、本考案の効果を得られる範囲でどのようなものとしてもよい。
【図面の簡単な説明】
【００２７】
【図１】本考案の一実施の形態の照明器具を備えた什器照明器具の構成を示す側面図
【図２】上記什器照明器具の照明器具周辺の構成を示す斜視図
【図３】上記照明器具の長尺照明器具の断面図
【図４】上記長尺照明器具の下面図
【図５】上記長尺照明器具の側面に取り付けるスポット照明器具の構成図
【図６】上記長尺照明器具の下面に取り付けるスポット照明器具の構成図
【図７】上記下面側スポット照明器具の照明部の構成図
【図８】上記下面側スポット照明器具の照明部の他の態様を示す構成図
【符号の説明】
【００２８】
１    什器照明器具
５    固定壁
６    取付金具
７    棚
１０    蛍光ランプ照明器具
１１    全体カバー
１２    レール
１３    レール
１４    側面カバー
１５    安定器カバー
１６    ソケット
１７    蛍光ランプ
２０    側面側スポット照明器具
２１    照明部
２２    挿入部
２３    支持軸
３０    下面側スポット照明器具
３１、１３１    照明部
【図１】
0003138884.tif 000003
【図２】
0003138884.tif 000004
【図３】
0003138884.tif 000005
【図４】
0003138884.tif 000006
【図５】
0003138884.tif 000007
【図６】
0003138884.tif 000008
【図７】
0003138884.tif 000009
【図８】
0003138884.tif 000010